(57)【要約】【課題】強度向上、設置作業の容易化を図ることができ、カウンター上面に流れる水を拡がり難くすることができるようにすること。【解決手段】第１のカウンター形成体１７と、当該第１のカウンター形成体１７に並んで配置された第２のカウンター形成体１８とを備えてカウンター１２が構成されている。第１及び第２のカウンター形成体１７，１８は、それらの合わせ端面１７Ｂ，１８Ｂで連結されているとともに、第１及び第２のカウンター形成体１７，１８の合わせ端面１７Ｂ，１８Ｂに沿う各上面部１７Ｃ，１８Ｃに段差が形成される。第１のカウンター形成体１７の合わせ端面１７Ｂにおける厚みは、第２のカウンター形成体１８における合わせ端面１８Ｂの厚みより大きく形成されている。第２のカウンター形成体１８の合わせ端面１８Ｂは、第１のカウンター形成体１７の合わせ端面１７Ｂの厚み内に収まるように連結されている。【選択図】図１
2008264211.tif 000002
【特許請求の範囲】
【請求項１】
第１のカウンター形成体と、当該第１のカウンター形成体に並んで配置された第２のカウンター形成体とを備えてキッチン若しくは洗面台を含む構造体に用いられるカウンターであって、
前記第１及び第２のカウンター形成体は、それらの合わせ端面で連結されているとともに、第１及び第２のカウンター形成体の合わせ端面に沿う各上面部に段差が形成されることを特徴とするカウンター。
【請求項２】
前記第１のカウンター形成体の合わせ端面と第２のカウンター形成体の合わせ端面とでは、厚みが異なって形成され、厚みが小さい方の合わせ端面が大きい方の合わせ端面の厚み内に収まるように連結されていることを特徴とする請求項１記載のカウンター。
【請求項３】
第１及び第２のカウンター形成体の前後方向端部に連なって左右方向に沿う外縁部をそれぞれ設け、これら外縁部の上下幅は略同一に設定され、各外縁部の上下位置を揃えたときに、前記段差が形成される一方、各上面部を略面一としたときに、各外縁部の上下位置が不揃いとなる形状に第１及び第２のカウンター形成体が形成されていることを特徴とする請求項１又は２記載のカウンター。
【請求項４】
キッチン若しくは洗面台を含む構造体に用いられるカウンターを製作するためのカウンターの中間素材であって、
左右方向に延びる形状を有する本体を含み、この本体は、左右に連なる第１及び第２の切断領域を備え、前記第１の切断領域と第２の切断領域とでは厚みが異なって形成されていることを特徴とするカウンターの中間素材。
【請求項５】
前記第１及び第２の切断領域の間には、段差形成部が設けられ、この段差形成部は、本体の上面又は下面に形成されていることを特徴とする請求項４記載のカウンターの中間素材。
【請求項６】
第１の切断領域の前後方向端部に連なって左右方向に沿う第１の立上り部と、第２の切断領域の前後方向端部に連なって左右方向に沿う第２の立上り部とを更に含み、
第１の切断領域の上面から第１の立上り部の上面までの距離と、第２の切断領域の上面から第２の立上り部の上面までの距離とは異なって形成されていることを特徴とする請求項４又は５記載のカウンターの中間素材。
【請求項７】
第１の切断領域の前後方向端部に連なって左右方向に沿う第１の垂下り部と、第２の切断領域の前後方向端部に連なって左右方向に沿う第２の垂下り部とを更に含み、
第１の切断領域の下面から第１の垂下り部の下面までの距離と、第２の切断領域の下面から第２の垂下り部の下面までの距離とは略同一に形成されていることを特徴とする請求項４，５又は６記載のカウンターの中間素材。
【請求項８】
キッチン若しくは洗面台を含む構造体に用いられるカウンターを製作するためのカウンターの中間素材であって、
切断領域を備えたユニットと、このユニットと別体に設けられるとともに、ユニットと左右に並べて連結可能なカウンター形成体とを含み、前記切断領域の厚みと、カウンター形成体の合わせ端面の厚みとが異なって形成されていることを特徴とするカウンターの中間素材。
【請求項９】
キッチン若しくは洗面台を含む構造体に用いられるカウンターの製造方法であって、
左右方向に延びる形状を有する本体を備えた中間素材を樹脂材料により成形した後、
左右方向に沿う二箇所位置で前後方向に沿って本体を切断し、その切断線間を長さ調整領域として当該長さ調整領域の左右方向両側に第１及び第２のカウンター形成体を形成し、
その後、第１及び第２のカウンター形成体の切断端面を合わせ端面として相互に連結するとともに、第１及び第２のカウンター形成体の合わせ端面に沿う各上面部に段差を形成することを特徴とするカウンターの製造方法。
【請求項１０】
前記本体は、左右に連なる第１及び第２の切断領域と、これらの間における本体の上面又は下面に設けられた段差形成部とを備え、
前記本体の切断は、前記長さ調整領域に段差形成部が含まれた状態で行われることを特徴とする請求項９記載のカウンターの製造方法。
【請求項１１】
キッチン若しくは洗面台を含む構造体に用いられるカウンターの製造方法であって、
切断領域を含むユニットと、このユニットと別体に設けられるとともに、ユニットと左右に並べて連結可能な第１のカウンター形成体を備えた中間素材を樹脂材料により成形した後、
左右方向に沿う位置で前後方向に沿って前記ユニットの切断領域を切断して第２のカウンター形成体を形成し、
その後、第２のカウンター形成体の切断端面を合わせ端面として第１のカウンター形成体の合わせ端面に連結するとともに、第１及び第２のカウンター形成体の合わせ端面に沿う各上面部に段差を形成することを特徴とするカウンターの製造方法。
【請求項１２】
前記第１のカウンター形成体の合わせ端面の厚みと第２のカウンター形成体の合わせ端面の厚みとが異なるように形成し、厚みが小さい方の合わせ端面が大きい方の合わせ端面の厚み内に収まるように前記連結を行うことを特徴とする請求項９，１０又は１１記載のカウンターの製造方法。
【発明の詳細な説明】
【技術分野】
【０００１】
本発明は、カウンター、カウンターの中間素材及びカウンターの製造方法に係り、更に詳しくは、種々の左右サイズに容易に対応することができるカウンター、カウンターの中間素材及びカウンターの製造方法に関する。
【背景技術】
【０００２】
近時、住宅等において、屋内設備のリフォームが広く行われており、このリフォームでは、キッチンのカウンターを交換する場合がある。この場合、リフォームする住宅によって必要なカウンターの左右サイズが相違することとなり、かかる相違に対応できるように様々な左右サイズのカウンターを用意する要請がある。ここで、特許文献１のように、カウンターを樹脂成形品とした場合、異なる左右サイズ毎にカウンター用の成形型を多数製作すれば、前記要請に応じることが可能となる。
【０００３】
しかし、多数の成形型を製作すると、設備投資の負担が莫大となり、成形型の管理負担も大きくなるため現実的ではない。そこで、成形型の製作数を少なくするべく、左右サイズが長いカウンターを成形し、このカウンターの左右何れか一端側を切断して必要な左右サイズに形成することが考えられる。
【０００４】
ところが、リフォームするキッチンの左右サイズが長い場合、カウンターの左右サイズも長くなり、搬入作業が困難となる。具体的には、カウンターがエレベーターに入らないために階段での運搬となったり、玄関から搬入できないためにベランダからカウンターを吊り上げて搬入したりすることとなる。そこで、カウンターの左右方向中間部で切断して左右サイズを短くした二つのカウンター形成体を作製し、これらを住宅内に搬入した後、並べて配置することにより、カウンターを形成する方法が考えられる。
【０００５】
【特許文献１】特開２００７−０１４７５０号公報
【発明の開示】
【発明が解決しようとする課題】
【０００６】
しかしながら、二つのカウンター形成体を並べたカウンターにあっては、それらの突き合わせ部分において、上方からの外力に対する強度が不十分になる、という不都合がある。しかも、二つのカウンター形成体の上下位置や傾きにずれが生じ易くなり、カウンター形成体の各上面を面一に設定する作業が困難になる。また、前記各上面が面一であると、当該各上面に跨って水が流れて拡がり易くなる。このため、一方のカウンター形成体にシンクが設けられ、他方のカウンター形成体に加熱調理器が設けられている場合、シンク等で用いた水が流れて加熱調理器を受容する穴に侵入し、故障や不具合の原因になる、という不都合を招来する。
【０００７】
［発明の目的］
本発明は、このような不都合に着目して案出されたものであり、その目的は、二つのカウンター形成体の間の強度を高めることができ、搬入や設置の作業を容易に行うことができるカウンター、カウンターの中間素材及びカウンターの製造方法を提供することにある。
また、本発明の他の目的は、カウンター上面に流れる水を拡がり難くすることができるカウンター、カウンターの中間素材及びカウンターの製造方法を提供することにある。
【課題を解決するための手段】
【０００８】
前記目的を達成するため、本発明のカウンターは、第１のカウンター形成体と、当該第１のカウンター形成体に並んで配置された第２のカウンター形成体とを備えてキッチン若しくは洗面台を含む構造体に用いられるカウンターであって、
前記第１及び第２のカウンター形成体は、それらの合わせ端面で連結されているとともに、第１及び第２のカウンター形成体の合わせ端面に沿う各上面部に段差が形成される、という構成を採っている。
【０００９】
本発明のカウンターにおいて、前記第１のカウンター形成体の合わせ端面と第２のカウンター形成体の合わせ端面とでは、厚みが異なって形成され、厚みが小さい方の合わせ端面が大きい方の合わせ端面の厚み内に収まるように連結される、という構成を採ることができる。
【００１０】
また、第１及び第２のカウンター形成体の前後方向端部に連なって左右方向に沿う外縁部をそれぞれ設け、これら外縁部の上下幅は略同一に設定され、各外縁部の上下位置を揃えたときに、前記段差が形成される一方、各上面部を略面一としたときに、各外縁部の上下位置が不揃いとなる形状に第１及び第２のカウンター形成体が形成される、という構成を採ることが好ましい。
【００１１】
また、本発明のカウンターの中間素材は、キッチン若しくは洗面台を含む構造体に用いられるカウンターを製作するためのカウンターの中間素材であって、
左右方向に延びる形状を有する本体を含み、この本体は、左右に連なる第１及び第２の切断領域を備え、前記第１の切断領域と第２の切断領域とでは厚みが異なって形成される、という構成を採っている。
【００１２】
本発明のカウンターの中間素材において、前記第１及び第２の切断領域の間には、段差形成部が設けられ、この段差形成部は、本体の上面又は下面に形成される、という構成を採用することができる。
【００１３】
更に、第１の切断領域の前後方向端部に連なって左右方向に沿う第１の立上り部と、第２の切断領域の前後方向端部に連なって左右方向に沿う第２の立上り部とを更に含み、
第１の切断領域の上面から第１の立上り部の上面までの距離と、第２の切断領域の上面から第２の立上り部の上面までの距離とは異なって形成される、という構成も好ましくは採用される。
【００１４】
また、第１の切断領域の前後方向端部に連なって左右方向に沿う第１の垂下り部と、第２の切断領域の前後方向端部に連なって左右方向に沿う第２の垂下り部とを更に含み、
第１の切断領域の下面から第１の垂下り部の下面までの距離と、第２の切断領域の下面から第２の垂下り部の下面までの距離とは略同一に形成される、という構成を採用することができる。
【００１５】
更に、本発明のカウンターの中間素材は、キッチン若しくは洗面台を含む構造体に用いられるカウンターを製作するためのカウンターの中間素材であって、
切断領域を備えたユニットと、このユニットと別体に設けられるとともに、ユニットと左右に並べて連結可能なカウンター形成体とを含み、前記切断領域の厚みと、カウンター形成体の合わせ端面の厚みとが異なって形成される、という構成も採用される。
【００１６】
また、本発明のカウンターの製造方法は、キッチン若しくは洗面台を含む構造体に用いられるカウンターの製造方法であって、
左右方向に延びる形状を有する本体を備えた中間素材を樹脂材料により成形した後、
左右方向に沿う二箇所位置で前後方向に沿って本体を切断し、その切断線間を長さ調整領域として当該長さ調整領域の左右方向両側に第１及び第２のカウンター形成体を形成し、
その後、第１及び第２のカウンター形成体の切断端面を合わせ端面として相互に連結するとともに、第１及び第２のカウンター形成体の合わせ端面に沿う各上面部に段差を形成する、という方法を採っている。
【００１７】
本発明のカウンターの製造方法において、前記本体は、左右に連なる第１及び第２の切断領域と、これらの間における本体の上面又は下面に設けられた段差形成部とを備え、
前記本体の切断は、前記長さ調整領域に段差形成部が含まれた状態で行われる、という方法を採用してもよい。
【００１８】
また、本発明のカウンターの製造方法は、キッチン若しくは洗面台を含む構造体に用いられるカウンターの製造方法であって、
切断領域を含むユニットと、このユニットと別体に設けられるとともに、ユニットと左右に並べて連結可能な第１のカウンター形成体を備えた中間素材を樹脂材料により成形した後、
左右方向に沿う位置で前後方向に沿って前記ユニットの切断領域を切断して第２のカウンター形成体を形成し、
その後、第２のカウンター形成体の切断端面を合わせ端面として第１のカウンター形成体の合わせ端面に連結するとともに、第１及び第２のカウンター形成体の合わせ端面に沿う各上面部に段差を形成する
【００１９】
更に、前記第１のカウンター形成体の合わせ端面の厚みと第２のカウンター形成体の合わせ端面の厚みとが異なるように形成し、厚みが小さい方の合わせ端面が大きい方の合わせ端面の厚み内に収まるように前記連結を行うことが好ましい。
【発明の効果】
【００２０】
本発明によれば、第１及び第２のカウンター形成体の合わせ端面で連結されるので、各カウンター形成体間の領域における強度向上を図ることができる。しかも、合わせ端面に沿う各上面部に段差が形成されるので、それらを面一に設定する作業を省略でき、施工労力の負担を軽減することが可能となる。また、段差を形成する合わせ端面を恰も堤防のように作用させることができ、前述のようにシンク及び加熱調理器をカウンターに設けた場合、加熱調理器側に水が侵入することを回避することができる。
【００２１】
また、前述のように、カウンター形成体の合わせ端面や、切断領域の厚みを異なって形成することにより、合わせ端面の接合面積をなるべく広く確保することができ、各カウンター形成体の連結強度をより向上させることが可能となる。
【００２２】
更に、各外縁部や各立上り部、各垂下り部を前述した形状としたので、前記段差を形成しつつ、各外縁部の上下位置を揃えることができ、外観上の見栄えを良好に保つことが可能となる。
【００２３】
また、本体の上面又は下面に段差形成部を設けた場合、当該段差形成部を切断位置の基準や目印として利用でき、切断作業の容易化を図ることが可能となる。
【発明を実施するための最良の形態】
【００２４】
以下、本発明の好ましい実施の形態について図面を参照しながら説明する。
なお、本明細書及び特許請求の範囲において、特に明示しない限り、「上」、「下」、「左」、「右」は、図１中矢印Ａ方向から見た場合を基準とする。また、「前」とは矢印Ａ方向から見た場合の手前側を示す一方、「後」とは、同奥行き側について用いられる。
また、「連結」は、合わせ端面同士を接着等の手段を介して固定したり、合わせ端面を面接触させた状態で各カウンター形成体を掛け渡す部材を設けて繋ぎ合わせた状態を含む概念であり、止水や漏水防止の目的で各カウンター形成体間にコーキングを設けたり、テープ部材を貼付けたりすることを除く概念として用いる。
【００２５】
［第１実施形態］
図１には、第１実施形態に係るカウンターが適用されたキッチンの概略斜視図が示されている。この図において、キッチン１０は、左右に並ぶ三体のキャビネット１１と、これらキャビネット１１により下から支持されたカウンター１２と、カウンター１２の右側領域に設けられた加熱調理器１４と、カウンター１２の左側領域に設けられたシンク１５とを備えて構成されている
【００２６】
前記三体のキャビネット１１のうち、最も右側のキャビネット１１には、前記加熱調理器１４が組み込まれている。三体のキャビネット１１の各上端面は、略同一水平面上に揃って位置しており、各キャビネット１１の上端面上にカウンター１２が載せられる。
【００２７】
前記カウンター１２は、前記加熱調理器１４を受容する調理器用穴１７Ａを面内に有する第１のカウンター形成体１７と、前記シンク１５を表出するためのシンク用穴１８Ａを面内に有する第２のカウンター形成体１８とを備えて構成されている。第１及び第２のカウンター形成体１７，１８は、左右に並んで配置されている。なお、本実施形態では、第１のカウンター形成体１７の左右サイズが右側のキャビネット１１の左右サイズと略同一に設定されている一方、第２のカウンター形成体１８の左右サイズが、左側のキャビネット１１及び中央のキャビネット１１の各左右サイズを合わせたサイズと略同一に設定されている。
【００２８】
図２にも示されるように、前記第１及び第２のカウンター形成体１７，１８は、それらの合わせ端面１７Ｂ，１８Ｂで連結されている。第１のカウンター形成体１７の合わせ端面１７Ｂにおける厚みは、第２のカウンター形成体１８における合わせ端面１８Ｂの厚みより大きく形成されている。第２のカウンター形成体１８の合わせ端面１８Ｂは、第１のカウンター形成体１７の合わせ端面１７Ｂの厚み内に収まるように連結されている。具体的には、第１及び第２のカウンター形成体１７，１８の下面が略面一に設定され、第１のカウンター形成体１７の合わせ端面１７Ｂの上部領域が第２のカウンター形成体１８側に表出するようになっている。これにより、第１及び第２のカウンター形成体１７，１８の合わせ端面１７Ｂ，１８Ｂに沿う各上面部１７Ｃ，１８Ｃには、段差が形成される。
【００２９】
第１及び第２のカウンター形成体１７，１８の前後方向端部には、左右方向に沿う外縁部２１〜２４がそれぞれ連なって設けられている。各外縁部２１〜２４は、前記上面部１７Ｃ，１８Ｃから上方に突出するリブ形状を備えている。また、各外縁部２１〜２４の上下幅ｈ１〜ｈ４は、全て略同一に設定されており、前方で左右に並ぶ外縁部２１，２３の上下位置が揃い、後方で左右に並ぶ外縁部２２，２４の上下位置が揃った状態となっている。また、第１のカウンター形成部１７の右端には、前記外縁部２１，２２と略同一高さとなる右側外縁部２６が設けられ、第２のカウンター形成部１８の左端には、前記外縁部２３，２４と略同一高さとなる左側外縁部２７が設けられている。
【００３０】
次に、カウンター１２の製造方法について、図３及び図４を用いて説明する。なお、同図中の構造は、説明の便宜上、形状や厚み、サイズを変えるとともに、前記右側外縁部２６及び左側外縁部２７を省略しており、図３（Ｃ）で示される構造が図１のカウンター１２に対応している。
【００３１】
本実施形態のカウンター１２は、図３（Ａ）及び図４（Ａ）に示される中間素材３０を用いて製作される。この中間素材３０は、適宜な樹脂材料により成形されている。中間素材３０は、左右方向に延びる形状を有する本体３１を含み、この本体３１は、左右に連なる第１及び第２の切断領域３３，３４と、これらの間の上面に設けられて前後に延びる段差形成部３５とを備えている。また、中間素材３０は、第１及の切断領域３３の前後方向端部にそれぞれ連なって左右方向に沿う第１の立上り部３７，３７と、第２の切断領域３４の前後方向端部にそれぞれ連なって左右方向に沿う第２の立上り部３８，３８とを備えている。
【００３２】
前記本体３１の下面は、略フラットに形成されている。第１の切断領域３３は、前記調理器用穴１７Ａを面内に備え、前記第１のカウンター形成体１７を形成する。第２の切断領域３４は、前記シンク用穴１８Ａを面内に備え、前記第２のカウンター形成体１８を形成する。第１及び第２の立上り部３７，３８は、前記外縁部２１〜２４を形成するものである。第１の切断領域３３の上面から第１の立上り部３７の上面までの距離ｄ１（図４（Ａ）参照）は、第２の切断領域３４の上面から第２の立上り部３８の上面までの距離ｄ２より小さく形成されている。
【００３３】
さて、カウンター１２の製造は、成形された中間素材３０を切断及び連結することにより行われる。先ず、中間素材３０の左右方向に沿う二箇所位置で前後方向に沿って切断する。このとき、図４（Ａ）に示されるように、切断線Ｃ１，Ｃ２は、第１及び第２の切断領域３３，３４に一箇所ずつとする。切断線Ｃ１，Ｃ２間を長さ調整領域４０とした場合、切断により、長さ調整領域４０の右側に第１のカウンター形成体１７を形成し、長さ調整領域４０の左側に第２のカウンター形成体１８を形成する（図３（Ｂ）及び図４（Ｂ）参照）。従って、切断線Ｃ１の位置は、その位置から本体３０の右端までの寸法Ｗ１が第１のカウンター形成体１７の左右サイズと同一となるように設定する。また、切断線Ｃ２の位置は、その位置から本体３０の左端までの寸法Ｗ２が第２のカウンター形成体１８の左右サイズと同一となるように設定する。
【００３４】
次いで、得られた第１及び第２のカウンター形成体１７，１８の切断端面を前記合わせ端面１７Ｂ，１７Ｃとし、これら合わせ端面１７Ｂ，１７Ｃを相互に連結することによりカウンター１２が完成する。このとき、第１及び第２のカウンター形成体１７，１８の下面を略面一に揃えるとともに、左右に並ぶ外縁部２１〜２４同士の上下位置を揃えることで、第１及び第２のカウンター形成体１７，１８の合わせ端面１７Ｂ，１８Ｂに沿う各上面部１７Ｃ，１８Ｃに段差を形成する（図３（Ｃ）及び図４（Ｃ）参照）。
【００３５】
ところで、図５に示されるように、第１及び第２のカウンター形成体１７，１８の各上面部１７Ｃ，１８Ｃを略面一に配置した場合、左右に並ぶ外縁部２１，２３の上下位置は不揃いとなり、各カウンター形成体１７，１８の下面に段差が生じる。これは、前記距離ｄ１，ｄ２（図４（Ａ）参照）が異なり、各カウンター形成体１７，１８の厚みも異なるように形成したからである。従って、本実施形態では、カウンター１２の上面に段差を形成しないと、外縁部２１〜２４の見栄えが悪くなり、キャビネット１１への設置も困難となるため、作業者に対し、前記各上面部１７Ｃ，１８Ｃに段差を形成することを促すことができる。
【００３６】
従って、このような第１実施形態によれば、各上面部１７Ｃ，１８Ｃを面一に設定する調整作業を省略でき、施工の迅速化及び容易化を図ることが可能となる。また、カウンター１２全体の左右サイズに対し、各カウンター形成体１７，１８の左右サイズが短くなるので、搬入の作業を容易に行うことができる。
【００３７】
また、第２のカウンター形成体１８の合わせ端面１８Ｂの全領域が第１のカウンター形成体の合わせ端面１７Ｂに面接触して連結されるので、その連結強度を高めることができ、上方からの外力が付与されても、合わせ端面１７Ｂ，１７Ｃ回りが下方に変形することを抑制することができる。更に、第２のカウンター形成体１８の上面部１８Ｃ上に水をこぼした場合、その水が第１のカウンター形成体１７の合わせ端面１７Ｂによりブロックされて第１のカウンター形成体１７の上面部１７Ｃ上に流れ込むことを防止することが可能となる。
【００３８】
次に、本発明の第１実施形態以外の実施形態について説明する。以下の説明において、前記第１実施形態と同一若しくは同等の構成部分については必要に応じて同一符号を用いるものとし、説明を省略若しくは簡略にする。なお、第２及び第３実施形態は、第１実施形態と中間素材だけを変更し、同実施形態と同一のカウンター１２を製作するものである。
【００３９】
［第２実施形態］
図６及び図７には、本発明の第２実施形態が示されている。同実施形態の中間素材４５は、本体３１の下面に段差形成部４６を備えている。一方、本体３１の上面は、略フラットに形成されている。第１及び第２の立上り部３７，３８は、上面の高さ位置が異なっており、当該上面に段差が形成されている。この中間素材４５においても、図６（Ａ）〜（Ｃ）及び図７（Ａ）〜（Ｃ）に示されるように、第１の実施形態と略同様の手順によりカウンター１２を製造することができる。
【００４０】
従って、このような第２の実施形態によれば、中間素材４５の上下両面に段差がそれぞれ形成されるので、当該段差を目印として切断する場合、中間素材４５の上下の向きを変更する作業を省略でき、作業性を向上させることが可能となる。
【００４１】
［第３実施形態］
図８には、本発明の第３実施形態が示されている。同実施形態の中間素材５０は、第１のカウンター形成体１７と、この第１のカウンター形成体１７と別体に設けられるとともに、第２のカウンター形成体１８を形成するユニット５１とを備えている。第１のカウンター形成体１７及びユニット５１は、樹脂材料によりそれぞれ成形されている。ユニット５１は、第２の立上り部３８，３８が前後方向端部にそれぞれ連なって設けられた切断領域５３を備えている。切断領域５３は、前記シンク用穴１８Ａを面内に備えている。
【００４２】
以上の構成において、カウンター１２を製造する場合、ユニット５１の左右方向に沿う位置Ｃ３で前後方向に沿って切断する。これにより、第２のカウンター形成体１８が形成され、その切断端面が合わせ端面１８Ｂとして形成される。その後、第１実施形態と同様にして第１及び第２のカウンター形成体１７，１８を相互に連結する。
【００４３】
従って、このような第３の実施形態によれば、中間素材５０の切断を一箇所行えばよいので、作業負担を軽減することができる。また、中間素材５０を成形するための成形型のサイズを縮小することができ、設備投資のコストダウンを図ることができる。
【００４４】
［第４実施形態］
図９には、本発明の第４実施形態が示されている。同実施形態は、中間素材６０の第１の立上り部３７の下部に第１の垂下り部６１を設け、第２の立上り部３８の下部に第２の垂下り部６２を設けたものであり、カウンター１２において、各カウンター形成体１７，１８の上下両側に外縁部６５〜６８を突出して形成したものである。第１の切断領域３３の下面から第１の垂下り部６１の下面までの距離ｄ３と、第２の切断領域３４の下面から第２の垂下り部６２の下面までの距離ｄ４とは略同一に形成されている。従って、各カウンター形成体１７，１８の上面部１７Ｃ，１８Ｃに段差を形成しつつ、各カウンター形成体１７，１８の下面を略面一として連結したときに、第１及び第２の垂下げ部６１，６２の下面は略同一面上に揃った状態となる。
【００４５】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００４６】
例えば、調理器用穴１７Ａやシンク用穴１８Ａは、種々の設計変更が可能であり、形成位置やサイズを変更する他、それらの穴１７Ａ，１８Ａを設けない構成としてもよい。
【００４７】
また、図１０に示されるように、各上面部１７Ｃ，１８Ｃのうち高い方に位置する上面部１７Ｃを有するカウンター形成体、すなわち、第１のカウンター形成体１７の外縁部を省略し、当該第１のカウンター形成体１７の厚みを大きく形成して上面部１７Ｃが外縁部２３，２４の上面と略同一面上に位置するようにしてもよい。
【００４８】
更に、前記第１実施形態において、前記右側外縁部２６及び左側外縁部２７の何れか一方又は両方を省略してもよい。
【００４９】
また、本発明は、洗面台等の複数のカウンター形成体を連結してカウンターを形成する構造体に適用してもよい。
【図面の簡単な説明】
【００５０】
【図１】第１実施形態に係るカウンターが適用されたキッチンの概略斜視図。
【図２】前記カウンターの拡大正面断面図。
【図３】（Ａ）〜（Ｃ）は、中間素材によりカウンターを製造するための要領を示す説明図。
【図４】（Ａ）〜（Ｃ）は、図３の正面図。
【図５】第１及び第２のカウンター形成体の各上面部を略面一とした状態の正面図。
【図６】（Ａ）〜（Ｃ）は、第２実施形態に係る中間素材によりカウンターを製造するための要領を示す図３と同様の概略斜視図。
【図７】（Ａ）〜（Ｃ）は、図６の正面図。
【図８】（Ａ）〜（Ｃ）は、第３実施形態に係る中間素材によりカウンターを製造するための要領を示す図４と同様の正面図。
【図９】（Ａ）〜（Ｃ）は、第４実施形態に係る中間素材によりカウンターを製造するための要領を示す図３と同様の概略斜視図。
【図１０】変形例に係るカウンターが適用されたキッチンの概略斜視図。
【符号の説明】
【００５１】
１０・・・キッチン、１２・・・カウンター、１７・・・第１のカウンター形成体、１７Ｂ・・・合わせ端面、１７Ｃ・・・上面部、１８・・・第２のカウンター形成体、１８Ｂ・・・合わせ端面、１８Ｃ・・・上面部、２１〜２４、６５〜６８・・・外縁部、３０，４５，５０，６０・・・中間素材、３１・・・本体、３３・・・第１の切断領域、３４・・・第２の切断領域、３５，４６・・・段差形成部、３７・・・第１の立上り部、３８・・・第２の立上り部、５１・・ユニット、５３・・・切断領域、６１・・・第１の垂下げ部、６２・・・第２の垂下げ部
【図１】
2008264211.tif 000003
【図２】
2008264211.tif 000004
【図３】
2008264211.tif 000005
【図４】
2008264211.tif 000006
【図５】
2008264211.tif 000007
【図６】
2008264211.tif 000008
【図７】
2008264211.tif 000009
【図８】
2008264211.tif 000010
【図９】
2008264211.tif 000011
【図１０】
2008264211.tif 000012